(57)【特許請求の範囲】
【請求項１】
所定間隔をあけて平行に設けられた左右の支柱を上桟と下桟とで固定すると共に、これら左右の支柱の途中に左右の脚柱を回動自在に接合して該左右の脚柱が平行に間隔をあけるように横桟で固定した構成により前記左右の支柱に対して前記左右の脚柱を折畳み可能にした折畳み画架において、前記左右の脚柱間の所定高さに受棚の後端両部を回動自在に接合すると共に、該受棚の左右の下部の奥行き方向に間隔を開けて複数の凹部が設けられ、さらに前記左右の支柱間の所定高さに下桟が固設され、前記受棚の左右に設けられた複数の凹部から選択した凹部を前記左右の支柱間の下桟に嵌合することにより、前記左右の支柱に対する前記左右の脚柱の開度を調整して固定状態に開脚させ、又は前記受棚の左右の凹部を前記下桟から外すことによって該受棚を前記左右の脚柱間に収容して平状に折り畳むようにしたことを特徴とする折畳み画架。
【請求項２】
前記左右の支柱の前部には上下方向に所定の間隔で複数の穴が形成され、所望の左右の穴に挿着した受け部材にキャンバス等の画材を掛止するようにしたことを特徴とする請求項１記載の折畳み画架。
【発明の詳細な説明】
【０００１】
【発明の属する技術分野】
本発明は、開脚した状態でキャンバス等の画材や種々の掲示板等を傾斜状に載置し、折り畳んだ状態で収納及び携帯を容易とした折畳み画架に関するものである。
【０００２】
【従来の技術】
一般にイーゼルと称せられている画架は、絵を書くときにキャンバス等の画材を傾斜状態に保持するために使用するものである。
【０００３】
このような画架には種々のものがあるが、四脚による従来の画架について説明すると、この画架は、図８（ａ）  に示すように、左右の支柱２０、２０が下方を開いた傾斜状態に設けられ、これらの支柱２０、２０を長さの異なる上桟２１と下桟２２で固定すると共に、左右の支柱２０、２０の途中に左右の脚柱２３、２３の各上端をヒンジ金具２８で回動自在に接合し、左右の脚柱２３、２３の下部を横桟２４で固定した構成とし、該横桟２４の高さは左右の支柱２０、２０の下桟２１と同様の高さとしている。
【０００４】
なお、左右の支柱２０、２０の下端は、支柱台２９によって固定支持されている。
【０００５】
また、左右の支柱２０、２０には、受け部材２５を挿着するための複数の穴２６、２６…が上下方向に沿って形成され、キャンバス等の画材を掛止するようにしている。
【０００６】
このような構成において、左右の脚柱２３、２３は左右の支柱２０、２０に対して開度を自在に開脚するもので、図８（ｂ）  に示すように、別体の受棚２７を左右の支柱２０、２０の下桟２２と左右の脚柱２３、２３の横桟２４とに掛けて、受棚２７の下部で係止することによって左右の支柱２０、２０と左右の脚柱２３、２３との開脚を所定開度に固定するようにしている。
【０００７】
【発明が解決しようとする課題】
従来の画架は、上記のように受棚２７によって左右の支柱２０、２０と左右の脚柱２３、２３との開度を固定することができるが、この受棚２７は左右の支柱２０、２０と左右の脚柱２３、２３との本体側とは別体に用意されているため、折畳んだ状態で画架を携帯したり、収納したりするのに面倒であり、組み立ての際にも手間がかかるという問題点を有するものであった。
【０００８】
本発明は、以上の問題を解消するためになされたもので、本体と受棚とが一体的に構成された折畳み構造によって収納及び携帯を容易とした折畳み画架を提供することを目的とする。
【０００９】
【課題を解決するための手段】
以上の課題を解決するために、本発明の請求項１の折畳画架は、所定間隔をあけて平行に設けられた左右の支柱を上桟と下桟とで固定すると共に、これら左右の支柱の途中に左右の脚柱を回動自在に接合して該左右の脚柱が平行に間隔をあけるように横桟で固定した構成により前記左右の支柱に対して前記左右の脚柱を折畳み可能にした折畳み画架において、前記左右の脚柱間の所定高さに受棚の後端両部を回動自在に接合すると共に、該受棚の左右の下部の奥行き方向に間隔を開けて複数の凹部が設けられ、さらに前記左右の支柱間の所定高さに下桟が固設され、前記受棚の左右に設けられた複数の凹部から選択した凹部を前記左右の支柱間の下桟に嵌合することにより、前記左右の支柱に対する前記左右の脚柱の開度を調整して固定状態に開脚させ、又は前記受棚の左右の凹部を前記下桟から外すことによって該受棚を前記左右の脚柱間に収容して平状に折り畳むようにしたことを特徴とする。
【００１０】
また、本発明の請求項２の折畳み画架は、請求項１において、前記左右の支柱の前部には上下方向に所定の間隔で複数の穴が形成され、所望の左右の穴に挿着した受け部材にキャンバス等の画材を掛止するようにしたことを特徴とする。
【００１２】
【発明の実施の形態】
以下、本発明の実施例について図面を参照しながら説明する。
【００１３】
本発明による折畳み画架は、図１、２に示すように、所定間隔をあけて平行に設けられた左右の支柱２、２を上桟３と下桟４とで固定すると共に、これら左右の支柱２、２の途中に左右の脚柱５、５を回動自在に接合して該左右の脚柱５、５が平行に間隔をあけるように横桟６で固定し、左右の脚柱５、５間にて受棚７の後端両部を回動自在に接合して該受棚７の下部に形成した凹部８、８…を左右の支柱２、２の下桟４に嵌合することによって左右の支柱２、２と左右の脚柱５、５とを固定状態に開脚させる一方、受棚７を下桟４から外すことによって該受棚７を左右の脚柱５、５間に収容して平状に折り畳むようにしたものである。
【００１４】
このような折畳み画架の構成について詳細に述べると、図５に示すように、左右の支柱２、２は同様の長さの長尺部材によって形成され、夫々の支柱２、２の上方と下方を互いに同じ長さの上桟３と下桟４とで固定することにより、左右の支柱２、２を平行に固定している。
【００１５】
また、左右の支柱２、２の下部には支柱台１４が固定されたことによって、左右の支柱２、２の離間幅を一定にする補強が成されている。
【００１６】
また、図６に示すように、左右の支柱２、２の途中に接合した左右の脚柱５、５は、各支柱２よりは短尺であって、その上端を左右の支柱２、２の途中に蝶番または各種のヒンジ部材９によって回動自在に接合してあり、左右の脚柱５、５が平行に間隔をあけるように脚柱５、５の下部を横桟６で固定している。
【００１７】
なお、夫々の脚柱５、５の上端は、図７に示すように開脚したときに夫々の支柱２、２の背面に沿うような傾斜を設けているが、これは意匠性の配慮であって必ずしも必要ではなく、円弧形等にしてもよい。
【００１８】
受棚７は、図２または図３に示すように、左右の脚柱５、５間に納まる幅を有する平状の四角形であって、上部の左右方向に配列した複数の長尺板１０、１０…の下部両側を奥行き方向に受桟７ａ、７ａで固定すると共に、左右の受桟７ａ、７ａの夫々の下部における手前側（図１参照）に奥行部材１１、１１を固定した構成としている。
【００１９】
この受棚７の後端両部に接合穴１７、１７（図３参照）を形成すると共に、左右の脚柱５、５の所定高さにも接合穴１６、１６（図２参照）を形成し、図５に示すように左右の夫々において互いの接合穴１６、１７に接合部材１５、１５を嵌合することによって左右の脚柱５、５に対して受棚７を回動自在に接合する。
【００２０】
また、このような受棚７において、左右の奥行部材１１、１１には複数の凹部８、８…が所定間隔で切欠形成等によって設けられている。夫々の凹部８、８…は、左右の支柱２、２の下桟４に上方から嵌合し得る径を有するもので、図７に示すように、選択した左右の凹部８、８を下桟４に上方から嵌合することによって左右の支柱２、２に対する左右の脚注５、５の開度を設定し、固定した開脚状態にすることができる。
【００２１】
上記の受棚７の構成において、図４に示すように、左右の受桟７ａ、７ａと左右の奥行部材１１、１１を兼用した構成とすることも可能である。即ち、図４の受棚７は、図３の受棚７のように左右の受桟７ａ、７ａと左右の奥行部材１１、１１とを別体にするのではなく、左右の受桟７ａ、７ａを下方に突出して上記の凹部８を形成した奥行部材１１、１１としている。
【００２２】
なお、受棚７は開脚した際の止め部材として機能すると共に、画材道具の載置台としても機能するため、開脚した際には受棚７を平行に固定し得るように、左右の脚柱５、５に対する受棚７の後部接合位置（接合部材１５の取付け位置）と左右の支柱２、２に対する下桟４の固定位置を設定すべきである。
【００２３】
また、図１に示すように、左右の支柱２、２の前部には上下方向に沿って所定間隔で複数の穴１２、１２…が形成され、所望の左右の穴１２、１２に挿着した受け部材１３、１３にキャンバス等の画材を掛止することができる。
【００２４】
本考案による折畳み構造の画架は、上記のように構成されているため、受棚７の下部に形成した左右の奥行き部材１１、１１の凹部８、８を左右の支柱２、２の下桟４に上方から嵌合することによって左右の支柱２、２と左右の脚柱５、５とを所定開度で開脚させ、所望の左右の穴１３、１３に挿着した受け部材にキャンバス等の画材を掛止することができる。
【００２５】
また、受棚７を下桟４から外すことによって左右の支柱２、２と左右の脚柱５、５とを折畳み、これらの脚柱５、５間に受棚７を収容して全体を平状に折り畳んだ状態にすることができる。
【００２６】
【発明の効果】
以上説明したように、平行に設けられた左右の支柱に接合された左右の脚柱に受棚が回動自在に接合され、左右の支柱に対して左右の脚柱を開脚した際には、受棚の下部に形成した凹部を左右の支柱の下桟に嵌合することによって所定開度で開脚させることができ、受棚を下桟から外すことによって該受棚を左右の脚柱間に収容して全体を平状に折り畳んだ状態にすることが可能となる。
【００２７】
従って、支柱と脚柱とから成る本体と受棚とが一体的に構成された折畳み構造によって、コンパクトな収納構造を得ることができ、簡単な折畳み作業によって収納及び携帯を容易とした折畳み画架を得ることができる。
【図面の簡単な説明】
【図１】本発明による折畳み画架を開いた状態を示す斜視図である。
【図２】本発明による折畳み画架の閉じた状態を示す平面図である。
【図３】本発明による折畳み画架の受棚の下方斜視図である。
【図４】本発明における受棚の他の構成を示す下方斜視図である。
【図５】本発明による折畳み画架の前面図である。
【図６】本発明による折畳み画架の後面図である。
【図７】本発明による折畳み画架を開いた状態を示す側面図である。
【図８】従来の折畳み画架の斜視図であり、（ａ）  は受棚を外した状態、（ｂ）  は受棚を取り付けた状態を示す。
【符号の説明】
２…支柱
３…上桟
４…下桟
５…脚柱
６…横桟
７…受棚
７ａ…受桟
８…凹部
９…ヒンジ部材
１０…長尺板
１１…奥行部材
１２…穴
１３…受け部材
１４…支柱台
１５…接合部材
１６…接合穴
１７…接合穴
【図１】
0003613182.tif 000002
【図２】
0003613182.tif 000003
【図３】
0003613182.tif 000004
【図４】
0003613182.tif 000005
【図５】
0003613182.tif 000006
【図６】
0003613182.tif 000007
【図７】
0003613182.tif 000008
【図８】
0003613182.tif 000009